(57)【要約】      （修正有）【課題】釣果に関する情報共有の利便性を向上させることができる釣具、情報共有システム及び情報共有方法を提供する。【解決手段】釣具１０，２０は、外部と通信を行う通信部１２，２２と、釣具１０，２０に関する情報を検出するセンサ部１１，２１と、センサ部１１，２１が検出した情報に基づいて、魚介類が釣り上げられたことを判定する制御部１４，２４と、を備える。制御部１４，２４は、魚介類が釣り上げられたと判定すると、該魚介類の釣り上げに関する情報を含む第１情報を外部に送信させる。【選択図】図２
2019187283.tif 000002
【特許請求の範囲】
【請求項１】
釣りにおいて用いられる釣具であって、
外部と通信を行う通信部と、
前記釣具に関する情報を検出するセンサ部と、
前記センサ部が検出した情報に基づいて、魚介類が釣り上げられたことを判定する制御部と、を備え、
前記制御部は、魚介類が釣り上げられたと判定すると、該魚介類の釣り上げに関する情報を含む第１情報を外部に送信させる、釣具。
【請求項２】
請求項１に記載の釣具において、
前記第１情報は、位置情報を含む、釣具。
【請求項３】
請求項１又は２に記載の釣具において、
釣りにおいて前記釣具と共に用いられている他の釣具の情報を記憶する記憶部を更に備え、
前記第１情報は、前記他の釣具の情報を含む、釣具。
【請求項４】
請求項１から３のいずれか一項に記載の釣具において、
前記第１情報は、前記釣具と共に用いられる糸にかかる張力に関する情報を含む、釣具。
【請求項５】
請求項１から４のいずれか一項に記載の釣具において、
前記第１情報は、気象情報を含む、釣具。
【請求項６】
請求項１から５のいずれか一項に記載の釣具において、
前記第１情報は、魚介類が釣り上げられたと判定された時間に関する情報を含む、釣具。
【請求項７】
請求項１から６のいずれか一項に記載の釣具において、
前記制御部は、前記センサ部が検出した情報に基づいて、根掛かりしたことを更に判定し、
前記第１情報は、根掛かりに関する情報を含む、釣具。
【請求項８】
釣りにおいて用いられる釣具と、サーバと、第１電子機器と、を備える情報共有システムであって、
前記釣具は、
前記サーバと通信を行う通信部と、
前記釣具に関する情報を検出するセンサ部と、
前記センサ部が検出した情報に基づいて、魚介類が釣り上げられたことを判定する制御部と、を備え、
前記制御部は、魚介類が釣り上げられたと判定すると、該魚介類の釣り上げに関する情報を含む第１情報を前記サーバに送信し、
前記サーバは、
前記釣具から受信した前記第１情報を記憶し、
前記第１電子機器から、日時、時期、場所及び魚介類の種類の少なくとも１つを含む第２情報を受信すると、前記第１情報及び前記第２情報に基づく第３情報を、前記第１電子機器に送信する、情報共有システム。
【請求項９】
請求項８に記載の情報共有システムにおいて、
前記サーバは、気象情報を取得し、
前記第３情報は、前記第１情報及び前記第２情報に加えて、前記気象情報に更に基づく、情報共有システム。
【請求項１０】
請求項８又は９に記載の情報共有システムにおいて、
前記第３情報は、おすすめの釣りスポットに関する情報を含む、情報共有システム。
【請求項１１】
請求項１０に記載の情報共有システムにおいて、
前記第３情報は、前記釣りスポット周辺の店舗に関する情報を含む、情報共有システム。
【請求項１２】
請求項８から１１のいずれか一項に記載の情報共有システムにおいて、
前記第３情報は、前記釣具と共に用いることが可能なおすすめの他の釣具に関する情報を含む、情報共有システム。
【請求項１３】
請求項８から１２のいずれか一項に記載の情報共有システムにおいて、
前記第３情報は、おすすめの水深の情報を含む、情報共有システム。
【請求項１４】
請求項８から１３のいずれか一項に記載の情報共有システムにおいて、
前記情報共有システムは、第２電子機器を更に備え、
前記サーバは、前記第２電子機器から、前記第２電子機器が撮影した魚介類の情報を受信する、情報共有システム。
【請求項１５】
請求項８から１４のいずれか一項に記載の情報共有システムにおいて、
前記第３情報は、魚介類のおすすめの調理方法の情報を含む、情報共有システム。
【請求項１６】
釣りにおいて用いられる釣具と、サーバと、第１電子機器と、を備える情報共有システムにおける情報共有方法であって、
前記釣具が、前記釣具に関する情報を検出するステップと、
前記釣具が、検出された前記釣具に関する情報に基づいて、魚介類が釣り上げられたことを判定するステップと、
前記釣具が、魚介類が釣り上げられたと判定すると、該魚介類の釣り上げに関する情報を含む第１情報を前記サーバに送信するステップと、
前記サーバが、前記釣具から受信した前記第１情報を記憶するステップと、
前記第１電子機器が、日時、時期、場所及び魚介類の種類の少なくとも１つを含む第２情報を前記サーバに送信するステップと、
前記サーバが、前記第２情報を受信すると、前記第１情報及び前記第２情報に基づく第３情報を、前記第１電子機器に送信するステップと、を含む情報共有方法。
【発明の詳細な説明】
【技術分野】
【０００１】
本開示は、釣具、情報共有システム及び情報共有方法に関する。
【背景技術】
【０００２】
従来、釣果に関する情報を共有するシステムが知られている（例えば、特許文献１参照）。
【先行技術文献】
【特許文献】
【０００３】
【特許文献１】特開２００４−６２４４５号公報
【発明の概要】
【発明が解決しようとする課題】
【０００４】
釣果に関する情報の共有には、利便性の向上の余地があった。
【０００５】
本開示の目的は、釣果に関する情報共有の利便性を向上させることができる釣具、情報共有システム及び情報共有方法を提供することにある。
【課題を解決するための手段】
【０００６】
本開示の一実施形態に係る釣具は、釣りにおいて用いられる釣具であって、外部と通信を行う通信部と、前記釣具に関する情報を検出するセンサ部と、前記センサ部が検出した情報に基づいて、魚介類が釣り上げられたことを判定する制御部と、を備える。前記制御部は、魚介類が釣り上げられたと判定すると、該魚介類の釣り上げに関する情報を含む第１情報を外部に送信させる。
【０００７】
本開示の一実施形態に係る情報共有システムは、釣りにおいて用いられる釣具と、サーバと、第１電子機器と、を備える。前記釣具は、前記サーバと通信を行う通信部と、前記釣具に関する情報を検出するセンサ部と、前記センサ部が検出した情報に基づいて、魚介類が釣り上げられたことを判定する制御部と、を備える。前記制御部は、魚介類が釣り上げられたと判定すると、該魚介類の釣り上げに関する情報を含む第１情報を前記サーバに送信する。前記サーバは、前記釣具から受信した前記第１情報を記憶し、前記第１電子機器から、日時、時期、場所及び魚介類の種類の少なくとも１つを含む第２情報を受信すると、前記第１情報及び前記第２情報に基づく第３情報を、前記第１電子機器に送信する。
【０００８】
本開示の一実施形態に係る情報共有方法は、釣りにおいて用いられる釣具と、サーバと、第１電子機器と、を備える情報共有システムにおける情報共有方法である。前記情報共有方法は、前記釣具が、前記釣具に関する情報を検出するステップと、前記釣具が、検出された前記釣具に関する情報に基づいて、魚介類が釣り上げられたことを判定するステップと、前記釣具が、魚介類が釣り上げられたと判定すると、該魚介類の釣り上げに関する情報を含む第１情報を前記サーバに送信するステップと、前記サーバが、前記釣具から受信した前記第１情報を記憶するステップと、前記第１電子機器が、日時、時期、場所及び魚介類の種類の少なくとも１つを含む第２情報を前記サーバに送信するステップと、前記サーバが、前記第２情報を受信すると、前記第１情報及び前記第２情報に基づく第３情報を、前記第１電子機器に送信するステップと、を含む。
【発明の効果】
【０００９】
本開示の一実施形態に係る釣具、情報共有システム及び情報共有方法によれば、釣果に関する情報共有の利便性を向上させることができる。
【図面の簡単な説明】
【００１０】
【図１】本開示の一実施形態に係る情報共有システムの概略構成を示す図である。
【図２】本開示の一実施形態に係る情報共有システムの機能ブロック図である。
【図３】本開示の一実施形態に係る情報共有システムの実施例１に係る動作を示すシーケンス図である。
【図４】本開示の一実施形態に係る情報共有システムの実施例２に係る動作を示すシーケンス図である。
【発明を実施するための形態】
【００１１】
以下、本開示の実施形態について、図面を参照して説明する。
【００１２】
図１は、本開示の一実施形態に係る情報共有システム１の概略構成を示す図である。情報共有システム１は、第１釣具１０−１及び１０−２と、第２釣具２０−１及び２０−２と、サーバ３０と、第１電子機器４０と、第２電子機器５０とを備える。
【００１３】
第１釣具１０−１及び１０−２は、釣りにおいて用いられる釣具である。第１釣具１０−１及び１０−２は、釣りをしているユーザ（以後、「第１ユーザ」とも称する）が直接操作する釣具である。図１に示す例においては、第１釣具１０−１はロッド（竿）であり、第１釣具１０−２はリールである。以後、第１釣具１０−１と第１釣具１０−２とを特に区別する必要がないときは、第１釣具１０と総称する場合がある。
【００１４】
図１に示す例では、情報共有システム１は２つの第１釣具１０を備えているが、第１釣具１０の個数はこれに限定されない。情報共有システム１は、任意の個数の第１釣具１０を備えていてよい。また、図１においては、第１釣具１０として、ロッド及びリールを示しているが、第１釣具１０はこれに限定されない。例えば、第１釣具１０は、ロッドとリールとが一体となったものであってもよい。
【００１５】
第２釣具２０−１及び２０−２は、釣りにおいて用いられる釣具である。第２釣具２０−１及び２０−２は、第１ユーザが釣りをしている際、水中又は水上に存在する釣具である。図１に示す例においては、第２釣具２０−１はルアーであり、第２釣具２０−２はオモリである。以後、第２釣具２０−１と第２釣具２０−２とを特に区別する必要がないときは、第２釣具２０と総称する場合がある。
【００１６】
図１に示す例では、情報共有システム１は２つの第２釣具２０を備えているが、第２釣具２０の個数はこれに限定されない。情報共有システム１は、任意の個数の第２釣具２０を備えていてよい。また、図１においては、第２釣具２０として、ルアー及びオモリを示しているが、第２釣具２０はこれに限定されない。例えば、第２釣具２０は、ウキであってもよい。
【００１７】
第２電子機器５０は、第１釣具１０及び第２釣具２０を用いて釣りをしている第１ユーザが操作する電子機器である。第２電子機器５０は、例えば、スマートフォン、携帯電話、タブレット又はノートパソコンなどである。第２電子機器５０は、ネットワーク６０を介してサーバ３０と通信可能である。
【００１８】
サーバ３０は、釣りに関する情報を、第１釣具１０、第２釣具２０及び第２電子機器５０から受信して記憶し、データベースとして管理する。サーバ３０は、複数の第１ユーザが用いる第１釣具１０、第２釣具２０及び第２電子機器５０から、釣りに関する情報を受信して記憶し、データベースに蓄積してよい。
【００１９】
第１電子機器４０は、釣りに関する情報をサーバ３０から取得しようとするユーザが操作する電子機器である。以後、釣りに関する情報をサーバ３０から取得しようとするユーザを「第２ユーザ」とも称する。第１電子機器４０は、例えば、スマートフォン、携帯電話、タブレット、ノートパソコン又はデスクトップパソコンなどである。第１電子機器４０は、ネットワーク６０を介してサーバ３０と通信可能である。
【００２０】
第１釣具１０は、ネットワーク６０を介してサーバ３０と通信可能である。第１釣具１０は、第２電子機器５０と通信可能であってよい。この場合、第１釣具１０は、第２電子機器５０を介して、釣りに関する情報をサーバ３０に送信可能である。
【００２１】
第２釣具２０は、ネットワーク６０を介してサーバ３０と通信可能である。第２釣具２０は、第２電子機器５０と通信可能であってよい。この場合、第２釣具２０は、第２電子機器５０を介して、釣りに関する情報をサーバ３０に送信可能である。第２釣具２０は、第１釣具１０と通信可能であってよい。この場合、第２釣具２０は、第１釣具１０を介して、釣りに関する情報をサーバ３０に送信可能である。または、第２釣具２０は、第１釣具１０及び第２電子機器５０を介して、釣りに関する情報をサーバ３０に送信可能である。
【００２２】
図２は、本開示の一実施形態に係る情報共有システム１の機能ブロック図である。図２に示す情報共有システム１は、第１釣具１０と、第２釣具２０と、サーバ３０と、第１電子機器４０と、第２電子機器５０とを備える。
【００２３】
図２に示す例においては、１つの第１釣具１０、及び、１つの第２釣具２０を示しているが、第１釣具１０及び第２釣具２０の個数はこれに限定されない。第１釣具１０及び第２釣具２０は、それぞれ複数個であってよい。
【００２４】
第１釣具１０は、センサ部１１と、通信部１２と、記憶部１３と、制御部１４とを備える。
【００２５】
センサ部１１は、第１釣具１０に関する情報を検出する１つ以上のセンサを有する。センサ部１１が有するセンサは、例えば、張力センサ、加速度センサ、地磁気センサ、位置センサ、温度センサ、湿度センサ、又は照度センサなどであってよい。
【００２６】
張力センサは、第１釣具１０がロッドである場合、ロッドのガイドを通っている糸にかかる張力を検出することができる。張力センサは、第１釣具１０がリールである場合、リールに巻かれている糸にかかる張力を検出することができる。張力センサは、糸にかかる張力を検出することにより、魚介類を釣り上げる際における魚介類の引きの強さ、又は、釣り上げた魚介類をぶら下げたときの魚介類の重量などを検出することができる。
【００２７】
加速度センサは、第１釣具１０がロッドである場合、例えばロッドの先端付近に取り付けられることにより、ロッドの先端の動き及び振動を検出することができる。
【００２８】
地磁気センサは、第１釣具１０の向いている方向を検出することができる。
【００２９】
位置センサは、例えば、ＧＰＳ（Global Positioning System）を利用したセンサであってよい。位置センサは、第１釣具１０の位置を検出することができる。
【００３０】
温度センサ、湿度センサ及び照度センサは、第１釣具１０周辺の気象情報を検出することができる。温度センサは、第１釣具１０周辺の温度を検出することができる。湿度センサは、第１釣具１０周辺の湿度を検出することができる。照度センサは、第１釣具１０周辺の照度を検出することができる。
【００３１】
第１釣具１０がリールである場合、センサ部１１は、リールの回転数を検出する回転センサを有してよい。制御部１４は、仕掛けがロッドから投げられた際のリールの回転数を検出することにより、仕掛けが投げられた際の糸の長さを検出することができる。仕掛けが投げられた際の糸の長さは、ロッドから仕掛けまでの飛距離に対応する。
【００３２】
通信部１２は、ＬＴＥ（Long Term Evolution）のような遠距離の無線通信規格に対応する無線通信モジュールを含んでよい。通信部１２は、Ｗｉ−Ｆｉ（登録商標）、Ｂｌｕｅｔｏｏｔｈ（登録商標）又はＮＦＣ（Near Field Communication）のような近距離の無線通信規格に対応する無線通信モジュールを含んでよい。
【００３３】
通信部１２は、第１釣具１０の外部の装置と通信可能である。通信部１２は、ネットワーク６０を介して、サーバ３０と通信可能である。通信部１２は、例えば、近距離の無線通信規格により、第２電子機器５０及び第２釣具２０と通信可能であってよい。
【００３４】
記憶部１３は、制御部１４に接続され、制御部１４から取得した情報を格納する。記憶部１３は、制御部１４のワーキングメモリとして機能してよい。記憶部１３は、制御部１４で実行されるプログラムを格納してよい。記憶部１３は、例えば、半導体メモリで構成されるが、これには限られず、磁気記憶媒体で構成されてよいし、他の記憶媒体で構成されてよい。記憶部１３は、制御部１４と一体に構成されてよい。
【００３５】
制御部１４は、第１釣具１０の各構成部を制御する。制御部１４は、例えばプロセッサとして構成される。制御部１４は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣ（Integrated Circuit）を含んでよい。特定用途向けＩＣは、ＡＳＩＣ（Application Specific Integrated Circuit）ともいう。プロセッサは、プログラマブルロジックデバイスを含んでよい。プログラマブルロジックデバイスは、ＰＬＤ（Programmable Logic Device）ともいう。ＰＬＤは、ＦＰＧＡ（Field-Programmable Gate Array）を含んでよい。制御部１４は、１つ又は複数のプロセッサが協働するＳｏＣ（System-on-a-Chip）、及びＳｉＰ（System in a Package）のいずれかであってよい。
【００３６】
制御部１４は、センサ部１１が検出した情報に基づいて、第１ユーザによって魚介類が釣り上げられたことを判定する。
【００３７】
例えば、第１釣具１０がロッドである場合、制御部１４は、ロッドの先端付近に取り付けられた加速度センサが検出する振動から魚信があることを検出し、魚信を検出した後、ロッドの先端付近に取り付けられた加速度センサによってロッドの先端付近が大きく動いたことを検出すると、制御部１４は、魚介類が釣り上げられたと判定する。
【００３８】
また、例えば、第１釣具１０がリールである場合、制御部１４は、張力センサが検出する細かい引きから魚信があることを検出し、魚信を検出した後、糸にかかる大きな力を張力センサが検出すると、制御部１４は、魚介類が釣り上げられたと判定する。
【００３９】
制御部１４は、魚介類が釣り上げられたと判定すると、魚介類の釣り上げに関する情報を含む情報（以後、「第１情報」とも称する）を、サーバ３０に送信する。
【００４０】
第１情報は、例えば、魚介類を釣り上げた際の魚介類の引きの強さ、及び、釣り上げた魚介類をぶら下げたときの魚介類の重量などの張力センサによって検出可能な情報を含んでよい。
【００４１】
第１情報は、魚介類が釣り上げられたときに位置センサが検出した、第１釣具１０の位置情報を含んでよい。また、制御部１４は、通信部１２がネットワーク６０を介してサーバ３０と通信を行う場合、通信部１２が通信を行ったネットワーク６０の基地局の基地局ＩＤを、第１釣具１０の位置情報としてサーバ３０に送信してもよい。
【００４２】
第１情報は、第１釣具１０によって投げられた仕掛けの位置情報を含んでよい。仕掛けの位置情報は、例えば、回転センサによって検出された糸の長さ、地磁気センサによって検出された第１釣具１０の向き、及び、位置センサが検出した第１釣具１０の位置などから、制御部１４が推定することができる。
【００４３】
第１情報は、釣りにおいて第１釣具１０と共に用いられている第２釣具２０の情報を含んでよい。制御部１４は、例えば、釣りをする前、又は、釣りをしているときに、近距離無線通信によって第２釣具２０から取得した第２釣具２０の情報を記憶部１３に記憶してよい。制御部１４は、記憶部１３に記憶した第２釣具２０の情報を第１情報に含めて、サーバ３０に送信してよい。制御部１４は、第２釣具２０の情報として、例えば第２釣具２０の型番などのような第２釣具２０の種類を特定できる情報を、第２釣具２０から取得してよい。
【００４４】
第１情報は、魚介類が釣り上げられたときにセンサ部１１が検出した気象情報を含んでよい。気象情報は、例えば、温度センサが検出した第１釣具１０周辺の温度、湿度センサが検出した第１釣具１０周辺の湿度、及び、照度センサが検出した第１釣具１０周辺の照度などを含んでよい。
【００４５】
第１情報は、制御部１４が魚介類が釣り上げられたと判定したときの時間に関する情報を含んでよい。制御部１４は、例えば制御部１４が有する計時機能から時刻を取得し、第１情報に含めてよい。このように、第１情報が、魚介類が釣り上げられたときの時刻を含むことにより、魚介類が釣り上げられたときに、第１釣具１０とサーバ３０との間が通信不可であっても、サーバ３０は、魚介類が釣り上げられたときの時刻を取得することができる。
【００４６】
第１情報は、根掛かりに関する情報を含んでよい。制御部１４は、例えば、張力センサによって検出された糸にかかる力から、根掛かりがあったことを判定してよい。制御部１４は、例えば、魚信を検出せずに、張力センサが糸にかかる大きな力を検出した場合に、根掛かりがあったと判定することができる。制御部１４は、例えば、根掛かりがあったときに位置センサが検出した第１釣具１０の位置を、根掛かりに関する情報として第１情報に含めてよい。
【００４７】
第１情報は、釣れていない情報を含んでよい。制御部１４は、例えば、魚介類が釣り上げられたと判定しないとき、所定の時間が経過する度、魚介類の釣り上げがなかったことをサーバ３０に送信する。
【００４８】
第２釣具２０は、センサ部２１と、通信部２２と、記憶部２３と、制御部２４とを備える。
【００４９】
センサ部２１は、第２釣具２０に関する情報を検出する１つ以上のセンサを有する。センサ部２１が有するセンサは、例えば、位置センサ又は温度センサなどであってよい。
【００５０】
位置センサは、例えば、ＧＰＳを利用したセンサであってよい。位置センサは、第２釣具２０の位置を検出することができる。
【００５１】
温度センサは、第２釣具２０周辺の温度を検出することができる。第２釣具２０が水中又は水上にある場合、温度センサは、第２釣具２０がある位置の水温を検出することができる。
【００５２】
通信部２２は、ＬＴＥのような遠距離の無線通信規格に対応する無線通信モジュールを含んでよい。通信部２２は、Ｗｉ−Ｆｉ（登録商標）、Ｂｌｕｅｔｏｏｔｈ（登録商標）又はＮＦＣのような近距離の無線通信規格に対応する無線通信モジュールを含んでよい。
【００５３】
通信部２２は、第２釣具２０の外部の装置と通信可能である。通信部２２は、ネットワーク６０を介して、サーバ３０と通信可能である。通信部２２は、例えば、近距離の無線通信規格により、第２電子機器５０及び第１釣具１０と通信可能であってよい。
【００５４】
記憶部２３は、制御部２４に接続され、制御部２４から取得した情報を格納する。記憶部２３は、制御部２４のワーキングメモリとして機能してよい。記憶部２３は、制御部２４で実行されるプログラムを格納してよい。記憶部２３は、例えば、半導体メモリで構成されるが、これには限られず、磁気記憶媒体で構成されてよいし、他の記憶媒体で構成されてよい。記憶部２３は、制御部２４と一体に構成されてよい。
【００５５】
記憶部２３は、第２釣具２０の種類（例えば、型番など）を特定することが可能な識別情報を記憶していてよい。
【００５６】
制御部２４は、第２釣具２０の各構成部を制御する。制御部２４は、例えばプロセッサとして構成される。制御部２４は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣを含んでよい。特定用途向けＩＣは、ＡＳＩＣともいう。プロセッサは、プログラマブルロジックデバイスを含んでよい。プログラマブルロジックデバイスは、ＰＬＤともいう。ＰＬＤは、ＦＰＧＡを含んでよい。制御部２４は、１つ又は複数のプロセッサが協働するＳｏＣ及びＳｉＰのいずれかであってよい。
【００５７】
制御部２４は、例えば、釣りをする前、又は、釣りをしているときに、近距離無線通信によって第２釣具２０の情報を第１釣具１０に送信してよい。第２釣具２０の情報は、第１釣具１０によって第１情報に含められて、サーバ３０に送信されてよい。または、第２釣具２０の情報は、通信部２２によってサーバ３０に直接送信されてよい。この場合、サーバ３０は、第１釣具１０から取得した第１情報に、第２釣具２０から取得した第２釣具２０の情報を含める。
【００５８】
第２電子機器５０は、撮影部５１と、通信部５２と、記憶部５３と、制御部５４とを備える。
【００５９】
撮影部５１は、写真を撮影可能なカメラ機能を有する。撮影部５１は、例えば、魚介類を釣り上げた第１ユーザの操作により、釣り上げた魚介類の写真を撮影することができる。撮影部５１が撮影した魚介類は、記憶部５３に記憶することができる。
【００６０】
通信部５２は、ＬＴＥのような遠距離の無線通信規格に対応する無線通信モジュールを含んでよい。通信部５２は、Ｗｉ−Ｆｉ（登録商標）、Ｂｌｕｅｔｏｏｔｈ（登録商標）又はＮＦＣのような近距離の無線通信規格に対応する無線通信モジュールを含んでよい。
【００６１】
通信部５２は、ネットワーク６０を介して、サーバ３０と通信可能である。通信部５２は、近距離の無線通信規格により、第１釣具１０及び第２釣具２０と通信可能である。通信部５２は、ネットワーク６０を介して、遠距離の無線通信規格により第１釣具１０及び第２釣具２０と通信してもよい。
【００６２】
記憶部５３は、制御部５４に接続され、制御部５４から取得した情報を格納する。記憶部５３は、制御部５４のワーキングメモリとして機能してよい。記憶部５３は、制御部５４で実行されるプログラムを格納してよい。記憶部５３は、例えば、半導体メモリで構成されるが、これには限られず、磁気記憶媒体で構成されてよいし、他の記憶媒体で構成されてよい。記憶部５３は、制御部５４と一体に構成されてよい。
【００６３】
制御部５４は、第２電子機器５０の各構成部を制御する。制御部５４は、例えばプロセッサとして構成される。制御部５４は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣを含んでよい。特定用途向けＩＣは、ＡＳＩＣともいう。プロセッサは、プログラマブルロジックデバイスを含んでよい。プログラマブルロジックデバイスは、ＰＬＤともいう。ＰＬＤは、ＦＰＧＡを含んでよい。制御部５４は、１つ又は複数のプロセッサが協働するＳｏＣ及びＳｉＰのいずれかであってよい。
【００６４】
制御部５４は、撮影部５１によって撮影された、第１ユーザが釣り上げた魚介類の写真を、サーバ３０に送信してよい。
【００６５】
サーバ３０は、通信部３１と、記憶部３２と、制御部３３とを備える。
【００６６】
通信部３１は、ＬＴＥのような遠距離の無線通信規格に対応する無線通信モジュールを含んでよい。通信部３１は、ネットワーク６０を介して、第１釣具１０、第２釣具２０、第２電子機器５０及び第１電子機器４０と通信可能である。
【００６７】
記憶部３２は、制御部３３に接続され、制御部３３から取得した情報を格納する。記憶部３２は、制御部３３のワーキングメモリとして機能してよい。記憶部３２は、制御部３３で実行されるプログラムを格納してよい。記憶部３２は、例えば、半導体メモリで構成されるが、これには限られず、磁気記憶媒体で構成されてよいし、他の記憶媒体で構成されてよい。記憶部３２は、制御部３３と一体に構成されてよい。
【００６８】
記憶部３２は、第１釣具１０、第２釣具２０及び第２電子機器５０から取得した情報を記憶し、データベースとして管理する。記憶部３２は、複数の第１ユーザが用いる第１釣具１０、第２釣具２０及び第２電子機器５０から取得した情報を記憶し、データベースに蓄積してよい。
【００６９】
制御部３３は、サーバ３０の各構成部を制御する。制御部３３は、例えばプロセッサとして構成される。制御部３３は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣを含んでよい。特定用途向けＩＣは、ＡＳＩＣともいう。プロセッサは、プログラマブルロジックデバイスを含んでよい。プログラマブルロジックデバイスは、ＰＬＤともいう。ＰＬＤは、ＦＰＧＡを含んでよい。制御部３３は、１つ又は複数のプロセッサが協働するＳｏＣ及びＳｉＰのいずれかであってよい。
【００７０】
第１釣具１０が、魚介類が釣り上げられたことを判定し、魚介類の釣り上げに関する情報を含む第１情報をサーバ３０に送信すると、制御部３３は、受信した第１情報を記憶部３２に記憶する。制御部３３は、第１情報を受信した日時に関連付けて、第１情報を記憶部３２に記憶する。第１釣具１０が、第１情報に併せて魚介類を釣り上げた日時をサーバ３０に送信した場合、制御部３３は、第１情報と共に受信した該日時に関連付けて、第１情報を記憶部３２に記憶してよい。
【００７１】
制御部３３は、第２釣具２０から第２釣具２０に関する情報を受信すると、受信した情報を記憶部３２に記憶する。
【００７２】
制御部３３は、第２電子機器５０から第１ユーザが釣り上げた魚介類の写真を受信すると、受信した魚介類の写真に基づいて、魚介類の大きさ及び種類を判定する。制御部３３は、例えば、所定の大きさを有するマーカとのサイズ比較、又は、三角法などにより、魚介類の大きさを判定してよい。制御部３３は、例えば、魚介類の写真をＡＩ（Artificial Intelligence）によって分析することにより、魚介類の種類を判定してよい。
【００７３】
制御部３３は、第２電子機器５０から受信した魚介類の写真に基づいて、第１ユーザが釣り上げた魚介類の大きさ及び種類を判定すると、該魚介類の大きさ及び種類を、該魚介類を釣り上げたときに第１釣具１０から受信した第１情報に関連付けて、記憶部３２に記憶してよい。
【００７４】
制御部３３は、記憶部３２に記憶されている魚介類の大きさ及び種類に基づいて、例えば、魚介類の種類ごとに魚介類の大きさのランキングを作成してよい。
【００７５】
なお、第１ユーザが釣り上げた魚介類の大きさ及び種類の判定は、制御部３３の代わりに、第２電子機器５０の制御部５４が行ってもよい。この場合、サーバ３０は、第２電子機器５０から、魚介類の写真に併せて、魚介類の大きさ及び種類の情報も受信してよい。
【００７６】
制御部３３は、第２ユーザが操作する第１電子機器４０から釣りに関する情報の要求を受信すると、記憶部３２に記憶している第１情報、及び、第１電子機器４０から受信した情報（以後、「第２情報」とも称する）に基づいて、釣りに関する情報を第１電子機器４０に送信する。
【００７７】
制御部３３は、第１電子機器４０から第２情報を受信すると、第２情報に含まれる条件に基づいて記憶部３２を検索し、第２情報に含まれる条件に適した釣り情報（以後、「第３情報」とも称する）を作成する。制御部３３は、第１情報及び第２情報に基づく第３情報を第１電子機器４０に送信する。
【００７８】
制御部３３は、例えば、第２情報に含まれる魚介類の種類及び日時に基づいて、第２情報に含まれる魚介類の釣りに適した位置を検索し、第３情報を作成してよい。制御部３３は、第２情報に含まれる条件に適した位置情報として、例えば、おすすめの「釣りスポット」を第３情報に含めてよい。ここで、「釣りスポット」は、川、湖、又は海岸などの、ある程度広い領域を意味する。また、制御部３３は、第２情報に含まれる条件に適した位置情報として、例えば、おすすめの「釣りポイント」を第３情報に含めてよい。ここで、「釣りポイント」は、ある釣りスポットにおける特定の場所を意味し、釣りに適した特定の場所を意味する。釣りポイントは、ユーザが仕掛けを投げる場所であってもよいし、仕掛けを投げるターゲットとなる水上の場所であってもよい。
【００７９】
サーバ３０は、ネットワーク６０を介して、様々な情報を有している情報サーバと通信可能である。制御部３３は、第１釣具１０又は第２釣具２０から第１情報を取得すると、第１情報に含まれている位置情報に基づいて、第１釣具１０又は第２釣具２０付近の気象情報などを、情報サーバから取得してよい。該気象情報は、天気、気温及び湿度などを含んでよい。また、該気象情報は、更に、潮流、水温などを含んでもよい。制御部３３は、第３情報を作成する際、第１情報及び第２情報に加えて、情報サーバから取得した気象情報を参照してよい。
【００８０】
制御部３３は、第１情報に仕掛けの位置情報が含まれている場合、水深の情報を有する情報サーバから、仕掛けの位置における水深の情報を取得して、記憶部３２に記憶してよい。
【００８１】
第１電子機器４０は、入力部４１と、表示部４２と、通信部４３と、記憶部４４と、制御部４５とを備える。
【００８２】
入力部４１は、釣りに関する情報をサーバ３０から取得しようとする第２ユーザによる第１電子機器４０への入力を受け付ける。入力部４１は、第２ユーザからの入力を受け付ける各種キーなどを含んでよい。第１電子機器４０の備える表示部４２がタッチパネルディスプレイである場合、表示部４２が入力部４１としての機能を備えていてよい。
【００８３】
表示部４２は、液晶ディスプレイ、有機ＥＬ（Electro Luminescence）ディスプレイ、又は無機ＥＬディスプレイ等を含んで構成されてよい。表示部４２は、バックライトとして用いる光源又は発光素子を備えてもよい。表示部４２は、第１電子機器４０を操作するユーザに、文字、記号、画像、及び操作用オブジェクト（アイコン）等の画像など、各種の情報を表示する。表示部４２は、タッチパネルディスプレイであってよい。
【００８４】
通信部４３は、ＬＴＥのような遠距離の無線通信規格に対応する無線通信モジュールを含んでよい。通信部４３は、ネットワーク６０を介して、サーバ３０と通信可能である。通信部４３は、有線通信により、ネットワーク６０を介して、サーバ３０と通信してもよい。
【００８５】
記憶部４４は、制御部４５に接続され、制御部４５から取得した情報を格納する。記憶部４４は、制御部４５のワーキングメモリとして機能してよい。記憶部４４は、制御部４５で実行されるプログラムを格納してよい。記憶部４４は、例えば、半導体メモリで構成されるが、これには限られず、磁気記憶媒体で構成されてよいし、他の記憶媒体で構成されてよい。記憶部４４は、制御部４５と一体に構成されてよい。
【００８６】
制御部４５は、第１電子機器４０の各構成部を制御する。制御部４５は、例えばプロセッサとして構成される。制御部４５は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣを含んでよい。特定用途向けＩＣは、ＡＳＩＣともいう。プロセッサは、プログラマブルロジックデバイスを含んでよい。プログラマブルロジックデバイスは、ＰＬＤともいう。ＰＬＤは、ＦＰＧＡを含んでよい。制御部４５は、１つ又は複数のプロセッサが協働するＳｏＣ及びＳｉＰのいずれかであってよい。
【００８７】
制御部４５は、入力部４１が、第２ユーザから所望の釣りの条件の入力を受け付けると、該所望の釣りの条件を含む第２情報をサーバ３０に送信する。第２ユーザが入力部４１に入力する所望の釣りの条件は、例えば、第２ユーザが釣りをする予定の日時、時期、場所、及び、第２ユーザが釣ろうとしている魚介類の種類などの条件の少なくとも１つを含む。
【００８８】
制御部４５は、サーバ３０に送信した第２情報に対する応答として、サーバ３０から第３情報を受信すると、該第３情報を第１電子機器４０の表示部４２に表示させて、第２ユーザに提示する。
【００８９】
（実施例１）
図３に示すシーケンス図を参照して、本開示の一実施形態に係る情報共有システム１の実施例１に係る動作を説明する。図３に示すシーケンス図は、釣りに関する情報をサーバ３０から取得しようとする第２ユーザが、例えば釣りに行く前に、釣りに関する情報を取得する場合の動作の一例である。
【００９０】
第１釣具１０は、第１釣具１０に関する情報を検出する。また、第２釣具２０は、第２釣具２０に関する情報を検出する（ステップＳ１０１）。
【００９１】
第１釣具１０は、魚介類が釣り上げられると、センサ部１１が検出した情報に基づいて、魚介類が釣り上げられたと判定する（ステップＳ１０２）。
【００９２】
第１釣具１０は、魚介類が釣り上げられたと判定すると、魚介類の釣り上げに関する情報を含む情報である第１情報を、サーバ３０に送信する（ステップＳ１０３）。第１情報は、第１釣具１０に関する情報、及び、第２釣具２０に関する情報を含んでよい。
【００９３】
サーバ３０は、第１釣具１０から取得した第１情報を、記憶部３２に記憶する（ステップＳ１０４）。サーバ３０は、ステップＳ１０１からステップＳ１０３の処理を繰り返し行い、複数の第１釣具１０から、複数の第１情報を記憶して、記憶部３２に記憶する。
【００９４】
釣りに関する情報をサーバ３０から取得しようとする第２ユーザは、釣りに行く前に、第１電子機器４０を操作して、所望の釣りの条件を含む第２情報をサーバ３０に送信させる（ステップＳ１０５）。
【００９５】
サーバ３０は、第１電子機器４０から受信した第２情報に基づいて、第１情報を記憶している記憶部３２を検索し、第２情報に含まれる条件に適した釣りスポットを含む第３情報を、第１電子機器４０に送信する（ステップＳ１０６）。
【００９６】
第１電子機器４０は、サーバ３０から受信した釣りスポットを含む情報を表示部４２に表示する（ステップＳ１０７）。
【００９７】
サーバ３０は、ステップＳ１０６において釣りスポットを含む第３情報を第１電子機器４０に送信する際、おすすめの第２釣具２０に関する情報を併せて送信してよい。サーバ３０は、記憶部３２に記憶されている第１情報を、第２情報に基づいて検索することにより、おすすめの第２釣具２０の情報を取得することができる。
【００９８】
サーバ３０は、ステップＳ１０６において釣りスポットを含む第３情報を第１電子機器４０に送信する際、釣りスポット周辺の店舗（例えば、釣具店など）に関する情報を併せて送信してよい。サーバ３０は、釣りスポット周辺の店舗に関する情報を、例えば、ネットワーク６０を介して情報サーバから取得してよい。
【００９９】
サーバ３０は、ステップＳ１０６において釣りスポットを含む第３情報を第１電子機器４０に送信する際、第２ユーザが釣ろうとしている魚介類のおすすめの調理方法に関する情報を併せて送信してよい。サーバ３０は、おすすめの調理方法に関する情報を、例えば、ネットワーク６０を介して情報サーバから取得してよい。
【０１００】
サーバ３０は、ステップＳ１０６において釣りスポットを含む第３情報を第１電子機器４０に送信する際、該釣りスポットにおいて根掛かりしやすい場所に関する情報を併せて送信してよい。サーバ３０は、記憶部３２に記憶されている第１情報を検索することにより、第１電子機器４０に送信する釣りスポットにおいて根掛かりしやすい場所の情報を取得することができる。
【０１０１】
サーバ３０は、ステップＳ１０６において釣りスポットを含む第３情報を第１電子機器４０に送信する際、該釣りスポットの地形（砂場、岩場及び消波ブロック等）に関する情報を併せて送信してよい。サーバ３０は、釣りスポットの地形に関する情報を、例えば、ネットワーク６０を介して情報サーバから取得してよい。
【０１０２】
サーバ３０は、ステップＳ１０６において釣りスポットを含む第３情報を第１電子機器４０に送信する際、おすすめの水深に関する情報を併せて送信してよい。サーバ３０は、記憶部３２に記憶されている第１情報を検索することにより、第１電子機器４０に送信する釣りスポットにおいて魚介類がよく釣れる水深の情報を取得することができる。
【０１０３】
このように、本開示の一実施形態に係る情報共有システム１の実施例１に係る動作によれば、サーバ３０は、第２情報に含まれる条件に適した釣りスポットを第１電子機器４０に送信する。これにより、第１電子機器４０を操作する第２ユーザは、釣りに行く前に、所望の釣りの条件に適した釣りスポットを知ることができる。
【０１０４】
（実施例２）
図４に示すシーケンス図を参照して、本開示の一実施形態に係る情報共有システム１の実施例２に係る動作を説明する。図４に示すシーケンス図は、釣りに関する情報をサーバ３０から取得しようとする第２ユーザが、例えば釣りに出かけている出先で、釣りに関する情報を取得する場合の動作の一例である。
【０１０５】
実施例２のステップＳ２０１〜ステップＳ２０４の処理は、図３に示した実施例１のステップＳ１０１〜ステップＳ１０４の処理と同様の処理である。
【０１０６】
釣りに関する情報をサーバ３０から取得しようとする第２ユーザは、釣りに出かけている出先で、第１電子機器４０を操作して、現在の位置情報をサーバ３０に送信させる（ステップＳ２０５）。
【０１０７】
サーバ３０は、第１電子機器４０から受信した位置情報に基づいて、第１情報を記憶している記憶部３２を検索し、現在の位置情報の周辺の釣りに適した釣りポイントを含む第３情報を、第１電子機器４０に送信する（ステップＳ２０６）。
【０１０８】
第１電子機器４０は、サーバ３０から受信した釣りポイントを含む情報を表示部４２に表示する（ステップＳ２０７）。
【０１０９】
サーバ３０は、ステップＳ２０６において釣りポイントを含む第３情報を第１電子機器４０に送信する際、該釣りポイントの周辺において釣りに関連した事故などが起きた場所の情報を併せて送信してよい。サーバ３０は、事故などが起きた場所に関する情報を、例えば、ネットワーク６０を介して情報サーバから取得してよい。第１電子機器４０は、事故などが起きた場所に関する情報をサーバ３０から取得すると、事故などが起きた場所を警告する表示を表示部４２に表示してよい。第１電子機器４０は、事故などが起きた場所に関する情報をサーバ３０から取得すると、事故などが起きた場所は、表示部４２に表示させる釣りポイントから外すようにしてもよい。
【０１１０】
第１電子機器４０は、ステップＳ２０６においてサーバ３０から受信した釣りポイントを表示部４２に表示させる代わりに、該釣りポイントに近づいたときに振動又は音を発生させることなどで、該釣りポイントに近づいたことを第２ユーザに提示してよい。
【０１１１】
このように、本開示の一実施形態に係る情報共有システム１の実施例２に係る動作によれば、サーバ３０は、現在の位置情報に適した釣りポイントを第１電子機器４０に送信する。これにより、第１電子機器４０を操作する第２ユーザは、釣りに出かけている出先で、所望の釣りの条件に適した釣りポイントを知ることができる。
【０１１２】
また、本実施形態によれば、第１釣具１０の制御部１４は、魚介類が釣り上げられたと判定すると、該魚介類の釣り上げに関する情報を含む第１情報を、通信部１２を介してサーバ３０に送信させる。これにより、サーバ３０は、釣果に関する情報を取得して記憶し、釣果の情報を共有するためのデータベースとして管理することができる。したがって、本実施形態に係る第１釣具１０は、釣果に関する情報共有の利便性を向上させることができる。
【０１１３】
本開示を諸図面及び実施例に基づき説明してきたが、当業者であれば本開示に基づき種々の変形及び修正を行うことが容易であることに注意されたい。従って、これらの変形及び修正は本発明の範囲に含まれることに留意されたい。例えば、各構成部、各ステップなどに含まれる機能などは論理的に矛盾しないように再配置可能であり、複数の構成部又はステップなどを１つに組み合わせたり、或いは分割したりすることが可能である。また、本発明について装置を中心に説明してきたが、本発明は装置の各構成部が実行するステップを含む方法、装置が備えるプロセッサにより実行される方法、プログラム、又はプログラムを記録した記憶媒体としても実現し得るものである。本発明の範囲にはこれらも包含されるものと理解されたい。
【０１１４】
例えば、第１ユーザが釣り上げた魚介類の大きさ及び種類の判定は、サーバ３０の代わりに第２電子機器５０が行ってもよい。同様に、第１釣具１０、第２釣具２０、サーバ３０、第１電子機器４０、及び第２電子機器５０が行う処理で、他の装置等が行うことができる処理は、他の装置が行ってもよい。
【符号の説明】
【０１１５】
１  情報共有システム
１０  第１釣具
１１  センサ部
１２  通信部
１３  記憶部
１４  制御部
２０  第２釣具
２１  センサ部
２２  通信部
２３  記憶部
２４  制御部
３０  サーバ
３１  通信部
３２  記憶部
３３  制御部
４０  第１電子機器
４１  入力部
４２  表示部
４３  通信部
４４  記憶部
４５  制御部
５０  第２電子機器
５１  撮影部
５２  通信部
５３  記憶部
５４  制御部
６０  ネットワーク
【図１】
2019187283.tif 000003
【図２】
2019187283.tif 000004
【図３】
2019187283.tif 000005
【図４】
2019187283.tif 000006